【手続補正書】
【提出日】平成19年3月2日(2007.3.2)
【手続補正１】
【補正対象書類名】明細書
【補正対象項目名】発明の名称
【補正方法】変更
【補正の内容】
【発明の名称】画像処理出力システム、データ送信装置及び方法
【手続補正２】
【補正対象書類名】明細書
【補正対象項目名】特許請求の範囲
【補正方法】変更
【補正の内容】
【特許請求の範囲】
【請求項１】  有線又は無線を介して互いに接続された上位装置、サーバ、及び画像出力装置から成る画像処理出力システムであって、前記上位装置は、ユーザが作成したデータを前記サーバへ送信し、前記サーバは、前記上位装置から送信された前記データを受信すると共に、該受信したデータを前記画像出力装置へ送信し、前記画像出力装置は、前記サーバから送信された前記データを受信して画像出力する画像処理出力システムにおいて、
前記サーバは、前記データ内にカラーページを含むか否かを判別するカラーページ判別手段と、前記データ内の白黒ページ数が予め設定された白黒ページ数より多いか否か判別するページ数判別手段とを備えることを特徴とする画像処理出力システム。
【請求項２】  前記画像出力装置は、カラー画像出力装置、白黒画像出力装置、及び前記データを無線で受信可能な無線装置付白黒画像出力装置を含むことを特徴とする請求項１記載の画像処理出力システム。
【請求項３】  前記カラーページ判別手段による判別の結果、前記データ内にカラーページを含むときは、前記データを前記カラー画像出力装置へ有線で送信することを特徴とする請求項１又は２記載の画像処理出力システム。
【請求項４】  前記カラーページ判別手段による判別の結果、前記データ内にカラーページを含まない場合において、前記ページ数判別手段による判別の結果、前記データ内の白黒ページ数が前記予め設定された白黒ページ数より多いときは、前記データを前記白黒画像出力装置へ有線で送信し、前記データ内の白黒ページ数が前記予め設定された白黒ページ数より少ないときは、前記データを前記無線装置付白黒画像出力装置へ無線で送信することを特徴とする請求項１又は２記載の画像処理出力システム。
【請求項５】  前記カラーページ判別手段による判別の結果、前記データ内にカラーページを含む場合に、該カラーページのみを前記カラー画像出力装置へ有線で送信することを特徴とする請求項１又は２記載の画像処理出力システム。
【請求項６】  前記カラーページ判別手段による判別の結果、前記データ内にカラーページを含み、且つ前記データ内に白黒ページが存在するときは、前記ページ数判別手段による判別を行い、前記データ内の白黒ページ数が前記予め設定された白黒ページ数より多いときは、前記データを前記白黒画像出力装置へ有線で送信し、前記データ内の白黒ページ数が前記予め設定された白黒ページ数より少ないときは、前記データを前記無線装置付白黒画像出力装置へ無線で送信することを特徴とする請求項５記載の画像処理出力システム。
【請求項７】  前記カラーページ判別手段は、前記カラーページを含むデータを前記画像出力装置へ送信するか、又は前記データ内のカラーページのみを前記画像出力装置へ送信するかを自ら判別することを特徴とする請求項１又は２記載の画像処理出力システム。
【請求項８】  前記ページ数判別手段は、前記白黒ページを含むデータを前記画像出力装置へ送信するか、又は前記データ内の白黒ページのみを前記画像出力装置へ送信するかを自ら判別することを特徴とする請求項１又は２記載の画像処理出力システム。
【請求項９】 データ内の白黒ページ数が予め設定された白黒ページ数より多いか否かを判別するページ数判別手段と、
前記ページ数判別手段によりデータ内の白黒ページ数が予め設定された白黒ページ数より多いと判別された場合、有線で白黒プリンタにデータを送信し、前記ページ数判別手段によりデータ内の白黒ページ数が予め設定された白黒ページ数より多くないと判別された場合、無線で白黒プリンタにデータを送信する送信手段とを備えることを特徴とするデータ送信装置。
【請求項１０】 データ内にカラーページを含むか否かを判別するカラーページ判別手段と、
データ内の白黒ページ数が予め設定された白黒ページ数より多いか否かを判別するページ数判別手段と、
前記カラーページ判別手段によりデータ内にカラーページを含むと判別された場合、有線でカラープリンタにデータを送信し、前記ページ数判別手段によりデータ内の白黒ページ数が予め設定された白黒ページ数より多いと判別された場合、有線で白黒プリンタにデータを送信し、前記ページ数判別手段によりデータ内の白黒ページ数が予め設定された白黒ページ数より多くないと判別された場合、無線で白黒プリンタにデータを送信する送信手段とを備えることを特徴とするデータ送信装置。
【請求項１１】 データ内の白黒ページ数が予め設定された白黒ページ数より多いか否かを判別するページ数判別ステップと、
前記ページ数判別ステップによりデータ内の白黒ページ数が予め設定された白黒ページ数より多いと判別された場合、有線で白黒プリンタにデータを送信し、前記ページ数判別ステップによりデータ内の白黒ページ数が予め設定された白黒ページ数より多くないと判別された場合、無線で白黒プリンタにデータを送信する送信ステップとを備えることを特徴とするデータ送信方法。
【請求項１２】 データ内にカラーページを含むか否かを判別するカラーページ判別ステップと、
データ内の白黒ページ数が予め設定された白黒ページ数より多いか否かを判別するページ数判別ステップと、
前記カラーページ判別ステップによりデータ内にカラーページを含むと判別された場合、有線でカラープリンタにデータを送信し、前記ページ数判別ステップによりデータ内の白黒ページ数が予め設定された白黒ページ数より多いと判別された場合、有線で白黒プリンタにデータを送信し、前記ページ数判別ステップによりデータ内の白黒ページ数が予め設定された白黒ページ数より多くないと判別された場合、無線で白黒プリンタにデータを送信する送信ステップとを備えることを特徴とするデータ送信方法。
【手続補正３】
【補正対象書類名】明細書
【補正対象項目名】０００１
【補正方法】変更
【補正の内容】
【０００１】
【発明の属する技術分野】
本発明は、画像処理出力システム、データ送信装置及び方法に関し、特に、上位装置から送信されたプリントジョブの内容に応じて有線／無線を切り替えて出力装置に送信するプリンタサーバを備える画像処理出力システム、データ送信装置及び方法に関する。
【手続補正４】
【補正対象書類名】明細書
【補正対象項目名】０００８
【補正方法】変更
【補正の内容】
【０００８】
【発明が解決しようとする課題】
本発明は、有線又は無線を介して接続された画像出力装置に迅速にデータ転送することができる画像処理出力システム、データ送信装置及び方法を提供することを目的とする。
【手続補正５】
【補正対象書類名】明細書
【補正対象項目名】００１６
【補正方法】変更
【補正の内容】
【００１６】
請求項８の画像処理出力システムは、請求項１又は２記載の画像処理出力システムにおいて、前記ページ数判別手段は、前記白黒ページを含むデータを前記画像出力装置へ送信するか、又は前記データ内の白黒ページのみを前記画像出力装置へ送信するかを自ら判別することを特徴とする。
上記目的を達成するために、請求項９記載のデータ送信装置は、データ内の白黒ページ数が予め設定された白黒ページ数より多いか否かを判別するページ数判別手段と、前記ページ数判別手段によりデータ内の白黒ページ数が予め設定された白黒ページ数より多いと判別された場合、有線で白黒プリンタにデータを送信し、前記ページ数判別手段によりデータ内の白黒ページ数が予め設定された白黒ページ数より多くないと判別された場合、無線で白黒プリンタにデータを送信する送信手段とを備えることを特徴とする。
上記目的を達成するために、請求項１０記載のデータ送信装置は、データ内にカラーページを含むか否かを判別するカラーページ判別手段と、データ内の白黒ページ数が予め設定された白黒ページ数より多いか否かを判別するページ数判別手段と、前記カラーページ判別手段によりデータ内にカラーページを含むと判別された場合、有線でカラープリンタにデータを送信し、前記ページ数判別手段によりデータ内の白黒ページ数が予め設定された白黒ページ数より多いと判別された場合、有線で白黒プリンタにデータを送信し、前記ページ数判別手段によりデータ内の白黒ページ数が予め設定された白黒ページ数より多くないと判別された場合、無線で白黒プリンタにデータを送信する送信手段とを備えることを特徴とする。
上記目的を達成するために、請求項１１記載のデータ送信方法は、データ内の白黒ページ数が予め設定された白黒ページ数より多いか否かを判別するページ数判別ステップと、前記ページ数判別ステップによりデータ内の白黒ページ数が予め設定された白黒ページ数より多いと判別された場合、有線で白黒プリンタにデータを送信し、前記ページ数判別ステップによりデータ内の白黒ページ数が予め設定された白黒ページ数より多くないと判別された場合、無線で白黒プリンタにデータを送信する送信ステップとを備えることを特徴とする。
上記目的を達成するために、請求項１２記載のデータ送信方法は、データ内にカラーページを含むか否かを判別するカラーページ判別ステップと、データ内の白黒ページ数が予め設定された白黒ページ数より多いか否かを判別するページ数判別ステップと、前記カラーページ判別ステップによりデータ内にカラーページを含むと判別された場合、有線でカラープリンタにデータを送信し、前記ページ数判別ステップによりデータ内の白黒ページ数が予め設定された白黒ページ数より多いと判別された場合、有線で白黒プリンタにデータを送信し、前記ページ数判別ステップによりデータ内の白黒ページ数が予め設定された白黒ページ数より多くないと判別された場合、無線で白黒プリンタにデータを送信する送信ステップとを備えることを特徴とする。
【手続補正６】
【補正対象書類名】明細書
【補正対象項目名】００４３
【補正方法】変更
【補正の内容】
【００４３】
請求項８記載の画像処理出力システムによれば、ページ数判別手段は、白黒ページを含むデータを画像出力装置へ送信するか、又はデータ内の白黒ページのみを画像出力装置へ送信するかを自ら判別するので、請求項７記載のシステムの効果を更に奏することができる。
請求項９記載のデータ送信装置及び請求項１１記載のデータ送信方法によれば、データ内の白黒ページ数が予め設定された白黒ページ数より多いか否かを判別し、データ内の白黒ページ数が予め設定された白黒ページ数より多いと判別された場合は、有線で白黒プリンタにデータを送信し、データ内の白黒ページ数が予め設定された白黒ページ数より多くないと判別された場合は、無線で白黒プリンタにデータを送信するので、白黒ページを含むプリントジョブを迅速に白黒プリンタでプリントアウトさせることができる。
請求項１０記載のデータ送信装置及び請求項１２記載のデータ送信方法によれば、データ内にカラーページを含むか否かを判別し、データ内の白黒ページ数が予め設定された白黒ページ数より多いか否かを判別して、データ内にカラーページを含むと判別された場合、有線でカラープリンタにデータを送信し、データ内の白黒ページ数が予め設定された白黒ページ数より多いと判別された場合、有線で白黒プリンタにデータを送信し、データ内の白黒ページ数が予め設定された白黒ページ数より多くないと判別された場合、無線で白黒プリンタにデータを送信するので、プリントジョブ内のカラーページ又は白黒ページのページ数に応じて有線又は無線を介して接続されたプリンタに迅速にデータ転送することができる。